(57)【要約】【課題】耐久寿命に優れる低コストな外壁構造を提供する。【解決手段】建築物の外壁構造は、躯体１の外壁面に取り付けた第１防水シート３と、第１防水シート３の外面に複数の縦長の支持部材４を介して取り付けた木板５と、木板５の外面側に設けたラス網６と、ラス網６に塗工したモルタル層７とを有する。外壁内部には、隣接する指示部材４間に、上下方向に延びる通気層８が形成される。ラス網６は、いわゆる平ラスである。【選択図】図１
0003135622.tif 000002
【実用新案登録請求の範囲】
【請求項１】
建築物の躯体外壁面に取り付けた第１防水シートと、
前記第１防水シートの外面に複数の縦長の支持部材を介して取り付けた木板と、
前記木板の外面側に設けたラス網と、
前記ラス網に塗工したモルタル層と、
を有することを特徴とする建築物の外壁構造。
【請求項２】
前記木板と前記ラス網との間に第２防水シートを設けたことを特徴とする請求項１に記載の建築物の外壁構造。
【請求項３】
前記複数の支持部材間にそれぞれ通気層を形成すると共に、これら通気層を前記木板に形成した複数の貫通孔によって互いに連通させたことを特徴とする請求項２に記載の建築物の外壁構造。
【請求項４】
前記支持部材が、前記第１防水シート側および前記木板側のうち、少なくとも何れか一方の表面に多数の凸部を有することを特徴とする請求項１〜３の何れか一項に記載の建築物の外壁構造。
【請求項５】
前記支持部材が樹脂板からなり、前記凸部が中空気泡であることを特徴とする請求項４に記載の建築物の外壁構造。
【請求項６】
建築物の外壁内に通気層を形成する下地材であって、
建築物の躯体外壁面に取り付けられる第１防水シートと、前記第１防水シートの外面に複数の縦長の支持部材を介して取り付けた木板と、前記木板の外面側に設けたラス網とを一体化してなることを特徴とする下地材。
【請求項７】
前記木板と前記ラス網との間に第２防水シートを設けたことを特徴とする請求項６に記載の下地材。
【請求項８】
前記木板が、複数の貫通孔を有することを特徴とする請求項７に記載の下地材。
【請求項９】
前記支持部材が、前記第１防水シート側および前記木板側の表面のうち、少なくとも何れか一方の表面に多数の凸部を有することを特徴とする請求項６〜８の何れか一項に記載の下地材。
【請求項１０】
前記支持部材が樹脂板からなり、前記凸部が中空気泡であることを特徴とする請求項９に記載の下地材。
【考案の詳細な説明】
【技術分野】
【０００１】
本考案は、建築物の外壁構造、および外壁内に通気層を形成する下地材に関する。
【背景技術】
【０００２】
近年、建築物の高気密・高断熱化に伴って、特に木質系建築物の外壁内部に結露（いわゆる内部結露）が発生する場合があり、この内部結露の発生を抑制あるいは防止すべく、外壁内部に通気層を形成するのが通例となっている。
【０００３】
図４に公知の外壁構造を示す。同図に示す外壁構造は、所定間隔で設けられた複数の柱（間柱）１０１、および柱１０１の外面側に取り付けられた野地板（パネル）１０２からなる躯体１０３と、パネル１０２の外面に、平面視で、柱１０１と重ならない位置に所定間隔で取り付けられた支持部材としての縦胴縁１０４と、縦胴縁１０４の外面に、例えばステープル等、図示しない適宜の手段で防水シート（防水紙）１０５を介して取り付けられたラス網１０６と、該ラス網１０６に塗工されたモルタル層１０７とからなるものである。かかる外壁構造では、躯体１０３とモルタル層１０７との間のうち、隣接する縦胴縁１０４間に通気層１０８が形成される（例えば、特許文献１を参照）。
【特許文献１】特許３８２５７７１号公報
【考案の開示】
【考案が解決しようとする課題】
【０００４】
上記の外壁構造では、ラス網１０６がパネル１０２の外面に間欠的に取り付けられた縦胴縁１０４で支持されるため、ラス網１０６自体が低強度（低剛性）であると、縦胴縁１０４のない部分、すなわち通気層１０８の形成部分において、ラス網１０６と一体化してなるモルタル層１０７が外壁面と直行する方向（内外方向）に変位する場合がある。かかる内外方向の変位は、モルタル層１０７にクラック（ひび割れ）を生じさせ、外壁の耐久寿命を低下させる一因となる。そのため、図４に示す外壁構造で使用可能なラス網１０６は、所定間隔で上下方向に延在するリブを有し、ＪＩＳ  Ａ５５０５に規定のラス網中で最も高強度な、いわゆる「リブラス」に限定される。しかしながら、リブラスは一般に高価であるのに加え、上記の外壁構造で所定の外壁強度を確保するには、リブを通気層１０８の形成領域と重なるように配置しなければならない。そのため、上記の外壁構造ではコスト高が避けられないものとなる。また、上記構造では、モルタル層１０７を均一の厚みに塗工するのが難しく、この厚みの不均一がクラックの発生を助長するおそれもある。
【０００５】
また、上記構造の外壁を構築するに際しては、躯体１０３を組み立てた後、ラス網１０６の取り付け工程およびモルタル層１０７の塗工工程（いわゆる左官工事）前に縦胴縁１０４の取り付け工程、すなわち更なる大工工事が別途必要となる。そのため、スムーズに左官工事に移行することができず、外壁の施工コストが増大するおそれがある。
【０００６】
本考案の第１の課題は、耐久寿命に優れ、かつ低コストな外壁構造を提供することにある。また、本考案の第２の課題は、前記の外壁構造を構築するに際し、外壁の施工コストの低廉化を実現し得る下地材を提供することにある。
【課題を解決するための手段】
【０００７】
上記第１の課題を解決するため、本考案では、建築物の躯体外壁面に取り付けた第１防水シートと、第１防水シートの外面に複数の縦長の支持部材を介して取り付けた木板と、木板の外面側に設けたラス網と、ラス網に塗工したモルタル層と、を有することを特徴とする建築物の外壁構造を提供する。なお、本考案でいう防水シートは、防水性を有するシート状の部材を意図したものであり、防水紙の他、アスファルトフェルト等も含まれる。
【０００８】
上記のように、本考案にかかる外壁構造では、ラス網が、第１防水シートの外面に複数の縦長の支持部材を介して取り付けられた木板の外面側に設けられる。かかる構造では、通気層が隣接する支持部材間に形成されるので、上記の木板は外壁全面に亘って設けることができる。この場合、ラス網はその内面側全面を木板で支持され、ラス網としての剛性が補完されるので、ラス網として汎用的な平ラスを使用しても、モルタル層が局所的に内外方向に変位するのを防止することができる。これにより、ラス網、すなわち外壁構造の低コスト化を図りつつも、必要十分な強度を有する外壁構造とすることができる。また、上記構成とすることにより、モルタル層を均一厚みに塗工することが容易になり、モルタル厚みの不均一等に起因するクラックの発生を効果的に防止することが可能となる。
【０００９】
上記構成に加え、木板とラス網との間に第２防水シートを設けることができる。かかる構成とすれば、木板が含水するのを効果的に防止することができる。また、第２防水シートがモルタル層のバックアップとして機能するので、モルタル層の付着性向上が図られる。
【００１０】
複数の支持部材間にはそれぞれ通気層が形成されるが、木板とラス網との間に第２防水シートを設けた場合には、木板に複数の貫通孔を形成することで各通気層を連通させることができる。このように各通気層を連通させれば、外壁内部の通気性を一層高めることができ、外壁の耐久寿命の低下をより一層効果的に抑制あるいは防止することができる。
【００１１】
支持部材は、前記第１防水シート側および前記木板側のうち、少なくとも何れか一方の表面に多数の凸部を有するものとすることができる。凸部は、上下方向に延在、左右方向に延在、あるいは散在させる等様々な形態とすることができる。上下方向に延在させた場合には外壁内部における通気層領域を拡大させることができ、左右方向に延在させた場合には各支持部材間に形成される通気層を連通させることができ、また、散在させた場合には前記メリットの双方を享受することができる。従って、何れの構成とした場合でも外壁内部の通気性を高めることができる。
【００１２】
支持部材は木製（木板）とする他、樹脂製（樹脂板）とすることができるが、樹脂板とした場合には凸部を中空気泡とするのが望ましい。凸部で振動を吸収することができ、耐震性等に優れた外壁構造とすることができるからである。
【００１３】
また、上記第２の課題を解決するため、本考案では、建築物の外壁内に通気層を形成する下地材であって、建築物の躯体外壁面に取り付けられる第１防水シートと、第１防水シートの外面に複数の縦長の支持部材を介して取り付けた木板と、木板の外面側に設けたラス網とを一体化してなることを特徴とする下地材を提供する。
【００１４】
このように、第１防水シートと、複数の縦長の支持部材および木板と、ラス網とを一体化（ユニット化）した下地材とすることにより、躯体の完成後、下地材を取り付ける１工程を経るだけでモルタル塗工に移行することができる。これにより、上述した外壁構造を構築するに際し、上記の各部材を順番に取り付ける場合に比べ、工事期間の短縮や工事コストの低廉化を図ることができる。
【００１５】
上記の下地材を構成する樹脂板とラス網との間には、第２防水シートを設けることができる。このように、第２防水シートを設けた場合、木板に複数の貫通孔を設けることができる。
【００１６】
上記構成の下地材において、支持部材は、多数の凸部を第１防水シート側の表面又は木板側の表面に有するものとすることができる。かかる構成とすれば、支持部材が肉抜きされる分、支持部材を中実体とする場合に比べ下地材の軽量化を図ることが可能となる。これにより下地材の取り扱い性を高め、下地材の取り付けを容易化することができる。かかる構成の場合、支持部材を樹脂板とし、凸部は中空気泡とすることができる。
【考案の効果】
【００１７】
以上から明らかなように、本考案によれば、クラックの発生防止や通気性の更なる向上を簡便に図ることができ、耐久寿命に優れる外壁構造が低コストに得られる。
【００１８】
また、本考案にかかる下地材であれば、上記の構成からなる外壁を施工するに際し、施工コストの低廉化を図ることができる。
【考案を実施するための最良の形態】
【００１９】
以下、本考案の実施形態を図面に基づいて説明する。
【００２０】
図１は、本考案にかかる建築物の外壁構造の第１実施形態を概念的に示す断面図である。同図に示す外壁構造は、主に木質系家屋の外壁構造として採用されるものであり、所定間隔で設けられた柱（間柱）１ａ、および柱１ａの外面側に取り付けられた野地板（パネル）１ｂからなる躯体１と、パネル１ｂの外壁面に図示しないタッカーやステープル等の留め付け具によって取り付けられ、外壁内部に通気層８を形成する下地材２と、下地材２の外面に塗工されたモルタル層７とで構成される。隣接する柱１ａ間には、断熱材が配設されている。なお、本図はあくまでも概念図であり、各部材の厚み等の大小は、実際の外壁構造とは異なる。
【００２１】
下地材２は、パネル１ｂの外壁面に取り付けられた防水シート（第１防水シート）３と、第１防水シート３の外面に、所定間隔で複数設けられた縦長の支持部材４を介して取り付けられた木板５と、木板５の外面側に設けられたラス網６とで構成され、各支持部材４間にそれぞれ上下方向の通気層８が形成される。本実施形態における下地材２は、上記の各部材３〜６を、ステープル等の図示しない適宜の手段で一体化したものである。
【００２２】
第１防水シート３は防水性に加え、透湿性を有するものが好ましく、例えばターポリン紙等の防水紙の他、アスファルトフェルトを用いることができる。
【００２３】
ラス網６はメタルラスであり、好ましくは防錆処理されたものが用いられる。本実施形態ではラス網６として、ＪＩＳ  Ａ  ５５０５に規定の平ラスを用いている。ラス網６、すなわち下地材２のサイズは例えば６００ｍｍ×１８００ｍｍ程度であり、外壁施工時にはそのままの状態、あるいは適宜のサイズに切断されて用いられる。ラス網６の網目形状に特段の限定はなく、菱形、亀甲形等、公知の網目形状を採用することができる。また、網目サイズは、モルタル層７の保持性、施工現場での切断容易性等を考慮して適宜のサイズに設定される。
【００２４】
木板５は、例えば数ｍｍ〜十数ｍｍの厚みでラス網６と略同一の大きさに形成され、好ましくは防水処理を施したものが用いられる。木板５の種類は特に限定されるものではなく、単板、合板（ベニヤ）、パーティクルボード（ＯＳＢ、ＳＰＢ等）、ＭＤＦなどを使用することができる。
【００２５】
支持部材４は、本実施形態では木板５と同様の木製とされ、第１防水シート３側および木板５側の表面のうち、少なくとも何れか一方の表面には、図２（ａ）に示すような上下方向に延在する多数の凸部４１が形成され、外壁内に組み込まれた状態で、隣接する凸部４１間には通気層８が形成される。
【００２６】
次に、上記の構成からなる建築物外壁の施工手順を説明する。
【００２７】
まず、躯体１（パネル１ｂ）の外壁面に、第１防水シート３を当接させるようにして下地材２を取り付ける。下地材２の取り付けは、例えば、図示しないステープル等の留め付け具を７０ｍｍ間隔で打ち付けることによって行われる。もちろん、留め付け具の打ち付け間隔は、要求される強度等に応じて任意の値に設定することができる。次いで、下地材２のラス網６上にモルタル塗工を行い、ラス網６を埋設するようにしてモルタル層７を形成する。なお、モルタル層７の外面には、モルタル層７に耐水性を付与するための耐水性塗料を塗布してもよい。
【００２８】
以上のようにして、上下方向に通気可能な通気層８を内部に有し、内部結露の発生を効果的に抑制あるいは防止可能な建築物の外壁構造が得られる。
【００２９】
上記のように、本考案にかかる外壁構造では、ラス網６が、第１防水シート３の外面に、複数の縦長の支持部材４を介して取り付けられた木板５の外面側に設けられる。木板５はラス網６と略同一の大きさに形成されているので、ラス網６の内面側は略全域に亘って木板５によって支持される。かかる構成とすれば、ラス網６の強度（剛性）が木板５によって補完されるため、上記のようにラス網６として平ラスを使用しても、ラス網６と共にモルタル層７が局所的に内外方向に変位する事態は防止することができる。平ラスはリブラスに比べて十分に低コストであり、従って、外壁構造の低コスト化を図りつつも、必要十分な強度を有する外壁構造とすることができる。また、ラス網６の内面側の略全域に亘って木板５が設けられるため、モルタル層７を均一厚みに塗工することが容易になり、モルタル厚の不均一等に起因したクラックの発生を効果的に防止することができる。以上のことから、本考案によれば、耐久寿命に優れる外壁構造を低コストに提供することができる。
【００３０】
また、支持部材４には上下方向に延在する複数の凸部４１が設けられ、外壁内部における通気層領域が拡大されているから、通気性を一層高めることができる。
【００３１】
また、本実施形態にかかる下地材２は、第１防水シート３と、支持部材４を介して取り付けられた木板５と、ラス網６とが一体化されたユニット構造をなすものであるから、躯体１の完成後、下地材２を取り付ける１工程を経るだけでモルタル層７の塗工工程に移行することができる。これにより、工事コストを低廉化することが可能となる。なお、支持部材４に多数の凸部４１を設けて肉抜きしていることから、ユニット構造をなす下地材２を軽量化することができ、取り付けを容易化することができる。
【００３２】
なお、支持部材４に設けた凸部４１は、上記のように上下方向に延在させる形態に限定されるわけではなく、第１防水シート３側および／又は木板５側の表面に左右方向に延在するように設けることもできる（図示省略）。かかる構成とすれば、支持部材４間にそれぞれ形成される通気層８を連通させることができ、全体としての通気性を高めることができる。また、凸部４１は、上記のように上下あるいは左右方向のみに延在するように形成する他、図２（ｂ）に示すように、隣接する凸部４１間に格子状の通気層８を形成するように設けることもできる。かかる構成とすれば、上下あるいは左右方向に凸部４１を設ける場合にそれぞれ得られる効果の双方を享受することができ、一層通気性を高めることができる。
【００３３】
また、支持部材４は上記のように木製とする他、樹脂製とすることもできる。樹脂製の支持部材４は、例えば図２（ｃ）に示すように、例えばポリプロピレン（ＰＰ）やポリエチレン（ＰＥ）等からなり、多数の凸部をランダムに設けた第１シート４ａと、平坦な第２シート４ｂとを、第１シート４ａの底部側に第２シート４ｂを位置させるようにして一体形成することにより、中空気泡の凸部４１を有するものとすることができる。
【００３４】
支持部材４として図２（ｃ）に示す構成のものを採用すれば、通気層８が上下左右さらには斜め方向にも形成されるので、通気性をより一層高めることができる。また、中空気泡の凸部４１で振動を吸収することができ、耐震性等に優れた外壁構造とすることができる。また、支持部材４を木製とした場合に比べて下地材２をより一層軽量化することができ、施工容易性をさらに高めることができる。
【００３５】
図３（ａ）は、本考案にかかる建築物の外壁構造の第２実施形態を示すものである。同図に示す外壁構造が、図１に示す第１実施形態と異なる主な点は、木板５とラス網６との間に第２防水シート９を設けた点、および図３（ｂ）に示すように、木板５に厚み方向の複数の貫通孔５ａを設けた点にある。かかる構成とすることにより、支持部材４間に形成される各通気層８は、木板５の貫通孔５ａを介して連通する。これにより外壁内部の通気性を高めることができる。なお、貫通孔５ａの形状は、図３（ｂ）に示すような円形に限定されるものではなく、多角形状、楕円形状等、種々の形状を採用することができる。
【００３６】
また、上記構成とすれば、第２防水シート９によって木板５が含水するのを効果的に防止することができる。また、第２防水シート９がモルタル層７のバックアップとして機能するので、モルタル層７の付着性向上が図られる。なお、第２防水シート９は、第１防水シート３、支持部材４、木板５、およびラス網６と共に下地材２として一体化することができる。かかる構成とすれば、第２防水シート９を設けることによる施工コスト増を回避することができる。このとき、木板５に貫通孔５ａが設けられている分、木板５（下地材２）が軽量化されるので、下地材２の取り扱い性や取り付け性を高めることができる。
【００３７】
なお、支持部材４としては、第１防水シート３側および木板５側の表面が平坦なものを使用する他、図２（ａ）〜（ｃ）に示すように表面に凸部４１を有する支持部材４を使用することもできる。図２（ａ）〜（ｃ）に示す構成の支持部材４を採用すれば、より一層通気性を高めることができ望ましい。これ以外の構成は、第１実施形態に準じるので、共通の参照番号を付して重複説明を省略する。
【００３８】
以上では、下地材２のラス網６として、平ラスを用いた構成について説明を行ったが、ラス網６として、いわゆるコブラス、波型ラスを使用することもできる。かかる構成とすれば、平ラスを用いる場合に比べ若干コスト増は生じるものの、ラス網６の強度が高まる分、モルタル層７の厚みを厚くして断熱性を一層高めることが、また、外壁の耐久寿命を一層高めることができる。
【００３９】
以上、本考案の実施形態について説明を行ったが、本考案は前述した実施形態に何ら限定されるものでなく、本考案の要旨を逸脱しない範囲において、さらに種々なる形態で実施し得ることは勿論のことである。本考案の範囲は、特許請求の範囲によって示され、さらに特許請求の範囲に記載の均等の意味、および範囲内の全ての変更を含む。
【図面の簡単な説明】
【００４０】
【図１】本考案にかかる建築物の外壁構造および下地材の第１実施形態を示す断面図である。
【図２】（ａ）図は、上下方向に延在する多数の凸部を表面に設けた支持部材の一部斜視図、（ｂ）図は、多数の凸部を表面に整列配置した支持部材の一部斜視図、（ｃ）図は、多数の凸部を表面に散在させた支持部材の一部斜視図である。
【図３】（ａ）図は、本考案にかかる建築物の外壁構造および下地材の第２実施形態を示す断面図、（ｂ）図は、（ａ）図に示す木板の一部斜視図である。
【図４】従来構成の外壁構造の一例を示す断面図である。
【符号の説明】
【００４１】
１      躯体
１ａ    柱
１ｂ    野地板（パネル）
２      下地材
３      第１防水シート
４      支持部材
４１    凸部
５      木板
５ａ    貫通孔
６      ラス網
７      モルタル層
８      通気層
９      第２防水シート
【図１】
0003135622.tif 000003
【図２】
0003135622.tif 000004
【図３】
0003135622.tif 000005
【図４】
0003135622.tif 000006